(57)【特許請求の範囲】
【請求項１】
枠体の内側空間に、緑化植物が生長できる状態で支持された植物支持パネルを取り付けた緑化パネル体を、建物の壁面に沿って外側に張り出した張出床部の外側辺に設けられた落下防止柵より建物の壁面側に寄った位置にて該壁面に略平行に設け、上記緑化パネル体の縦軸を中心にして該緑化パネル体を上記張出床部の内側に向けて所定角度まで位置変更可能としたことを特徴とする建物緑化構造体。
【請求項２】
上記緑化パネル体の縦軸は、上記落下防止柵より建物の壁面側に寄った位置にて上下方向に設置された支柱に取り付けられた緑化パネル体の一側辺部であることを特徴とする請求項１記載の建物緑化構造体。
【請求項３】
枠体の内側空間に、緑化植物が生長できる状態で支持された植物支持パネルを取り付けた緑化パネル体を、該緑化パネル体の周囲を囲む外枠の内側に一側辺部の縦軸を中心にして回動可能に取り付け、上記外枠を、建物の壁面に沿って外側に張り出した張出床部の外側辺に設けられた落下防止柵より建物の壁面側に寄った位置にて上部及び下部に設置されたレール部材に係合させて該壁面に略平行にスライド可能に組み合わせ、上記外枠に取り付けられた緑化パネル体の一側辺部を中心にして該緑化パネル体を上記張出床部の内側に向けて所定角度まで回動可能とすると共に、上記レール部材の端末部に設けられた収納用レール部材を利用して収納可能としたことを特徴とする建物緑化構造体。
【請求項４】
枠体の内側空間に、緑化植物が生長できる状態で支持された植物支持パネルを取り付けた緑化パネル体を、建物の壁面に沿って外側に張り出した張出床部の外側辺に設けられた落下防止柵より建物の壁面側に寄った位置にて上部及び下部に設置されたレール部材に係合させて該壁面に略平行にスライド可能に組み合わせ、上記緑化パネル体を上記レール部材の端末部に設けられた収納用レール部材の位置までスライドし、該収納用レール部材を利用して上記張出床部の内側に向けて所定角度まで位置変更可能とすると共に、上記収納用レール部材を利用して収納可能としたことを特徴とする建物緑化構造体。
【請求項５】
上記植物支持パネルは、緑化植物を支持するためのメッシュ状支持部材と、このメッシュ状支持部材の下部に配置され緑化植物を生長させるための植栽容器とから成ることを特徴とする請求項１〜４のいずれか１項に記載の建物緑化構造体。
【請求項６】
上記植物支持パネルは、緑化植物を支持するための多孔質構造を有する植栽基盤であることを特徴とする請求項１〜４のいずれか１項に記載の建物緑化構造体。
【請求項７】
上記植物支持パネルは、上記枠体に対して着脱可能とされたことを特徴とする請求項１〜４のいずれか１項に記載の建物緑化構造体。
【発明の詳細な説明】
【技術分野】
【０００１】
本発明は、例えばつる性植物等を利用して建築物の修景及び熱負荷の低減を図る建物緑化構造体に関し、詳しくは、緑化植物が生長できる状態で支持された緑化パネル体を建物の張出床部にて建物の壁面側に向けて所定角度まで位置変更可能として緑化植物に対する水やり等の管理や、枝葉の切除等の手入れなどを可能とする建物緑化構造体に係るものである。
【背景技術】
【０００２】
従来のこの種の建物緑化構造体は、フレーム枠内にメッシュ状に線状体が張り渡された単位フレームと、つる性植物が植えられた植栽容器とを組み合わせた植物栽培カセットを、建築物の外壁面から所定の隙間をあけてその外壁面に取り付けたカセット式壁面緑化施設が提案されている（例えば、特許文献１参照）。
【０００３】
また、植物が植えられた植栽容器ユニットを建築物の外壁面に容易に取り付け、取り外し可能とするため、建築物の外壁面にキー溝を設け、このキー溝に嵌るキー部を備えた植栽容器を組み合わせて、植栽容器ユニットを建築物の外壁面に着脱可能にした壁面緑化設備が提案されている（例えば、特許文献２参照）。
さらに、植物が植えられた培地容器が下辺に一体的に取り付けられた緑化基板を、建築物の外壁面に対して外側方向に回転自在とした壁面緑化体も提案されている（例えば、特許文献３参照）。
【特許文献１】特開平６−２２５６４５号公報
【特許文献２】特開平６−２６１６３３号公報
【特許文献３】特開２００４−９２１５７号公報
【発明の開示】
【発明が解決しようとする課題】
【０００４】
しかし、特許文献１に記載のカセット式壁面緑化施設においては、植物栽培カセットが建築物の外壁面に固定されており、その植物栽培カセットを建築物の外壁面から容易に取り外すことができなかった。したがって、植物栽培カセットが建築物の外壁面に取り付けられたままでは、植栽容器に植えられたつる性植物に対して水やり、肥料の供給、防虫薬剤散布等の管理や、繁茂した枝葉の切除等の手入れなどが容易にできないものであった。また、植物栽培カセットが建築物の外壁面に固定された状態で、植栽容器に植えられた植物が全面にまで生長するには、多くの時間を要するものであった。
【０００５】
また、特許文献２に記載の壁面緑化設備においては、植栽容器ユニットを建築物の外壁面から取り外して、植栽容器に植えられた植物に対して水やり、肥料の供給等の管理や、繁茂した枝葉の切除等の手入れなどを行うことができるが、その度にいちいち植栽容器ユニットを建築物の外壁面から取り外して作業場所まで運んで作業をしなければならない。また、その作業が終わったら、再度上記建築物の外壁面に取り付けなければならず、植物の管理や、手入れに多くの労力と時間を要するものであった。
【０００６】
さらに、特許文献３に記載の壁面緑化体においては、緑化基板を建築物の外壁面に対して外側方向に回転することはできるが、これは主として建築物への太陽入射光の調整を可能とすると共に、建築物の外壁面に対するメンテナンス作業を容易にするものであり、建築物の外壁面に取り付けられた緑化基板の植物の管理や、手入れなどを容易にするものではない。したがって、特許文献１及び２に記載のものと同様に、植物の管理や、手入れなどが容易にできないものであった。
【０００７】
そこで、本発明は、このような問題点に対処し、緑化植物が生長できる状態で支持された緑化パネル体を建物の張出床部にて建物の壁面側に向けて所定角度まで位置変更可能として緑化植物に対する水やり等の管理や、枝葉の切除等の手入れなどを可能とする建物緑化構造体を提供することを目的とする。
【課題を解決するための手段】
【０００８】
上記目的を達成するために、第１の発明による建物緑化構造体は、枠体の内側空間に、緑化植物が生長できる状態で支持された植物支持パネルを取り付けた緑化パネル体を、建物の壁面に沿って外側に張り出した張出床部の外側辺に設けられた落下防止柵より建物の壁面側に寄った位置にて該壁面に略平行に設け、上記緑化パネル体の縦軸を中心にして該緑化パネル体を上記張出床部の内側に向けて所定角度まで位置変更可能としたものである。
【０００９】
このような構成により、枠体の内側空間に植物支持パネルを取り付けた緑化パネル体を、建物の壁面に沿って外側に張り出した張出床部の外側辺に設けられた落下防止柵より建物の壁面側に寄った位置にて該壁面に略平行に設け、上記緑化パネル体の縦軸を中心にして該緑化パネル体を上記張出床部の内側に向けて所定角度まで位置変更可能とする。
【００１０】
そして、上記緑化パネル体の縦軸は、上記落下防止柵より建物の壁面側に寄った位置にて上下方向に設置された支柱に取り付けられた緑化パネル体の一側辺部とされる。これにより、上記支柱に取り付けられた緑化パネル体の一側辺部を中心にして該緑化パネル体を上記張出床部の内側に向けて所定角度まで回動可能とする。
【００１２】
また、第２の発明による建物緑化構造体は、枠体の内側空間に、緑化植物が生長できる状態で支持された植物支持パネルを取り付けた緑化パネル体を、該緑化パネル体の周囲を囲む外枠の内側に一側辺部の縦軸を中心にして回動可能に取り付け、上記外枠を、建物の壁面に沿って外側に張り出した張出床部の外側辺に設けられた落下防止柵より建物の壁面側に寄った位置にて上部及び下部に設置されたレール部材に係合させて該壁面に略平行にスライド可能に組み合わせ、上記外枠に取り付けられた緑化パネル体の一側辺部を中心にして該緑化パネル体を上記張出床部の内側に向けて所定角度まで回動可能とすると共に、上記レール部材の端末部に設けられた収納用レール部材を利用して収納可能としたものである。
【００１３】
このような構成により、枠体の内側空間に植物支持パネルを取り付けた緑化パネル体を、外枠の内側に一側辺部を中心にして回動可能に取り付け、上記外枠を、建物の壁面に沿って外側に張り出した張出床部の外側辺に設けられた落下防止柵より建物の壁面側に寄った位置にて上部及び下部に設置されたレール部材に係合させて該壁面に略平行にスライド可能に組み合わせ、上記緑化パネル体の一側辺部を中心にして該緑化パネル体を上記張出床部の内側に向けて所定角度まで回動可能とすると共に、上記レール部材の端末部の収納用レール部材を利用して収納可能とする。
【００１４】
さらに、第３の発明による建物緑化構造体は、枠体の内側空間に、緑化植物が生長できる状態で支持された植物支持パネルを取り付けた緑化パネル体を、建物の壁面に沿って外側に張り出した張出床部の外側辺に設けられた落下防止柵より建物の壁面側に寄った位置にて上部及び下部に設置されたレール部材に係合させて該壁面に略平行にスライド可能に組み合わせ、上記緑化パネル体を上記レール部材の端末部に設けられた収納用レール部材の位置までスライドし、該収納用レール部材を利用して上記張出床部の内側に向けて所定角度まで位置変更可能とすると共に、上記収納用レール部材を利用して収納可能としたものである。
【００１５】
このような構成により、枠体の内側空間に植物支持パネルを取り付けた緑化パネル体を、建物の壁面に沿って外側に張り出した張出床部の外側辺に設けられた落下防止柵より建物の壁面側に寄った位置にて上部及び下部に設置されたレール部材に係合させて該壁面に略平行にスライド可能に組み合わせ、上記緑化パネル体を上記レール部材の端末部の収納用レール部材の位置までスライドし、該収納用レール部材を利用して上記張出床部の内側に向けて所定角度まで位置変更可能とすると共に、上記収納用レール部材を利用して収納可能とする。
【００１６】
また、上記植物支持パネルは、緑化植物を支持するためのメッシュ状支持部材と、このメッシュ状支持部材の下部に配置され緑化植物を生長させるための植栽容器とから成る。これにより、メッシュ状支持部材の下部に配置された植栽容器で緑化植物を生長させ、上記メッシュ状支持部材により緑化植物を支持する。
【００１７】
さらに、上記植物支持パネルは、緑化植物を支持するための多孔質構造を有する植栽基盤とされている。これにより、多孔質構造を有する植栽基盤で緑化植物を支持して緑化植物を育成する。
【００１８】
さらにまた、上記植物支持パネルは、上記枠体に対して着脱可能とされている。これにより、枠体に対して植物支持パネルを容易に取り付け、取り外しができる。
【発明の効果】
【００１９】
請求項１に係る発明によれば、建物の壁面に沿って外側に張り出した張出床部の外側辺に設けられた落下防止柵より建物の壁面側に寄った位置にて該壁面に略平行に取り付けられた緑化パネル体を、その縦軸を中心にして上記張出床部の内側に向けて所定角度まで位置変更可能とすることにより、緑化植物が生長できる状態で支持された緑化パネル体を建物の張出床部にて内側に向けて位置変更し、上記張出床部を作業スペースとして作業者が緑化植物に対して水やり、肥料の供給、防虫薬剤散布等の管理や、繁茂した枝葉の切除等の手入れなどができる。したがって、本発明の建物緑化構造体を通常のビルや集合住宅（マンション）等のベランダに設置して建物緑化が実現でき、そのベランダの内側に向けて緑化パネル体を回動することにより、容易に緑化植物に対する管理や、手入れなどができる。
【００２０】
請求項２に係る発明によれば、上記落下防止柵より建物の壁面側に寄った位置にて上下方向に設置された支柱に取り付けられた緑化パネル体の一側辺部を中心にして該緑化パネル体を上記張出床部の内側に向けて所定角度まで回動することができる。
【００２１】
また、請求項３に係る発明によれば、建物の壁面に沿って外側に張り出した張出床部の外側辺に設けられた落下防止柵より建物の壁面側に寄った位置にて上部及び下部に設置されたレール部材に係合させた外枠に取り付けられた緑化パネル体の一側辺部を中心にして該緑化パネル体を上記張出床部の内側に向けて所定角度まで回動すると共に、上記レール部材の端末部に設けられた収納用レール部材を利用して収納することにより、緑化植物が生長できる状態で支持された緑化パネル体を建物の張出床部にて内側に向けて回動して緑化植物に対して水やり等の管理や、枝葉の切除等の手入れなどができる。この場合も、通常のビルや集合住宅等のベランダに設置して建物緑化が実現でき、そのベランダの内側に向けて緑化パネル体を回動することにより、容易に緑化植物に対する管理や、手入れなどができる。また、上記緑化パネル体を収納用レール部材を利用して収納場所に収納することにより、台風や大雨等の自然災害から緑化植物を保護することができる。
【００２２】
さらに、請求項４に係る発明によれば、建物の壁面に沿って外側に張り出した張出床部の外側辺に設けられた落下防止柵より建物の壁面側に寄った位置にて上部及び下部に設置されたレール部材に係合させた緑化パネル体を上記レール部材の端末部に設けられた収納用レール部材の位置までスライドし、該収納用レール部材を利用して上記張出床部の内側に向けて所定角度まで位置変更すると共に、上記収納用レール部材を利用して収納することにより、緑化植物が生長できる状態で支持された緑化パネル体を建物の張出床部にて内側に向けて位置変更して緑化植物に対して水やり等の管理や、枝葉の切除等の手入れなどができる。この場合も、通常のビルや集合住宅等のベランダに設置して建物緑化が実現でき、そのベランダの内側に向けて緑化パネル体を位置変更することにより、容易に緑化植物に対する管理や、手入れなどができる。また、上記緑化パネル体を収納場所に収納することにより、台風や大雨等の自然災害から緑化植物を保護することができる。
【００２３】
また、請求項５に係る発明によれば、メッシュ状支持部材の下部に配置された植栽容器で緑化植物を生長させ、上記メッシュ状支持部材により緑化植物を支持することができる。したがって、主としてつる性植物をメッシュ状支持部材で支持し、空気の流通を確保しながら建物緑化が実現できる。
【００２４】
さらに、請求項６に係る発明によれば、多孔質構造を有する植栽基盤で緑化植物を支持して緑化植物を育成することができる。したがって、土壌や培養土を用いずに、緑化植物を育成することができる。また、つる性植物以外の植物でも植栽基盤で支持して、建物緑化が実現できる。
【００２５】
さらにまた、請求項７に係る発明によれば、枠体に対して植物支持パネルを容易に取り付け、取り外しができる。したがって、緑化植物が生長できる状態で支持された植物支持パネルを枠体から取り外して生育環境の良い生産農場に搬入し、事前に緑化させた状態で上記枠体に取り付けることにより、短時間に建物の壁面の全面緑化が実現できる。また、植物支持パネルの緑化植物を種類の異なるものに交換することもできる。
【発明を実施するための最良の形態】
【００２６】
以下、本発明の実施形態を添付図面に基づいて詳細に説明する。
図１は第１の実施形態による建物緑化構造体を示す正面図であり、図２はその平面図であり、図３はその右側断面図である。この建物緑化構造体は、例えばつる性植物等を利用して建築物の修景及び熱負荷の低減を図るもので、緑化パネル体１を、建物の壁面２に沿って外側に張り出した張出床部（例えばビルのベランダなど）３の外側辺に設けられた落下防止柵より建物の壁面側に寄った位置（以下、本書において「外側辺近傍」という）にて上下方向に設置された支柱４を用いて該壁面２に略平行に設けられている。
【００２７】
上記緑化パネル体１は、建物の壁面２に緑化植物が生長できる状態で垂直状態に立てて支持するもので、枠体５と、メッシュ状支持部材６と、植栽容器７とから成る。上記枠体５は、メッシュ状支持部材６を支持する枠部材となるもので、内側に縦長の空間を有し、例えば金属製のアングル材等で矩形状枠に形成されている。
【００２８】
上記枠体５の内側空間には、メッシュ状支持部材６が取り付けられている。このメッシュ状支持部材６は、例えばつる性植物等の緑化植物を実際に支持するもので、適宜の大きさの網目を有する金網等から成る。図１〜図３の実施形態では、このメッシュ状支持部材６は、上記枠体５の内側空間に固定状態で取り付けられている。
【００２９】
上記メッシュ状支持部材６の下部には、図３に示すように、植栽容器７が配置されている。この植栽容器７は、つる性植物等の緑化植物を生長させるためのもので、例えばプラスチック、金属等で上記枠体５の内側空間の下部に嵌る大きさの箱状に形成されている。このとき、上記枠体５の内側空間の下部には、上面が開口した箱状の植栽容器設置台８が設けられており、この植栽容器設置台８の内部に上記植栽容器７が収容されている。そして、上記植栽容器７の内部には、土壌や培養土が入れられて緑化植物９が植え付けられている。なお、上記メッシュ状支持部材６と植栽容器７とで、緑化植物９が生長できる状態で支持する植物支持パネルを構成している。
【００３０】
上記緑化パネル体１は、図２及び図３に示すように、建物の張出床部（例えばビルのベランダなど）３に設置された支柱４を用いて直立して設けられている。この支柱４は、建物の壁面２に沿って外側に張り出した張出床部３の外側辺近傍に上下方向に設置されており、図１に示すように、上記緑化パネル体１の１個１個の横幅が入り得る間隔をあけて複数個並べて設けられている。具体的には、上記張出床部３において、下階張出床部３ａと上階張出床部３ｂとの間に垂直状態に設けられている。
【００３１】
ここで、図１において、向かって右側の緑化パネル体１の取り付け状態について説明する。まず、右側に位置する支柱４の左側面と緑化パネル体１の枠体５の右側部材の端面との間には、蝶番１０が少なくとも上部及び下部に取り付けられている。次に、上記緑化パネル体１の左側に位置する支柱４の少なくとも上部及び下部の前面側には、例えば矩形状のストッパ片１１，１１が取り付けられている。そして、上記緑化パネル体１の枠体５の左側部材の少なくとも１箇所（例えば中央部）には、その左側に位置する支柱４との間で開閉をロックするロック装置１２が設けられている。このロック装置１２は、図２に示すように、例えばハンドル１３とピンとの組み合わせから成り、ハンドル１３を略９０度回転することにより、上記ピンが出没して支柱４の側面に形成された孔に嵌合し、ロック又は解除するようになっている。このような状態で、上記緑化パネル体１は、図２に示すように、上記支柱４を用いて建物の壁面２に略平行に設けられている。
【００３２】
そして、図１及び図２において、隣接する複数の緑化パネル体１が上記と同様にして、建物の壁面２に沿って外側に張り出した張出床部３の外側辺近傍にて上下方向に設置された支柱４を用いて該壁面２に略平行に設けられる。
【００３３】
なお、図２において、符号Ａは建物の張出床部３において作業者１４が、緑化植物９に対して水やり、肥料の供給、防虫薬剤散布等の管理や、繁茂した枝葉の切除等の手入れなどを行う作業スペースを示している。また、図３において、符号１５は建物の張出床部３においてその外側辺に設けられた落下防止柵（又は手すり）を示し、符号１６は緑化植物９が植え付けられた植栽容器７に水を供給する給水管を示し、符号１７は上記植栽容器７に液体肥料を供給する肥料供給管を示している。
【００３４】
このような緑化パネル体１の取り付け状態により、図２に示すように、建物の張出床部３にいる作業者１４が、ロック装置１２のハンドル１３を握ってロック解除をして手前側に引くことにより、張出床部３上において上記蝶番１０を中心にして緑化パネル体１を矢印Ｂ方向に回動して開くことができる。これにより、上記支柱４に取り付けられた緑化パネル体１の一側辺部を中心にして、該緑化パネル体１を張出床部３の内側に向けて所定角度（略９０度）まで回動可能とすることができる。
【００３５】
このように、緑化植物９が生長できる状態で支持された緑化パネル体１を建物の張出床部３にてその内側に向けて回動して緑化植物９に対して水やり、肥料の供給、防虫薬剤散布等の管理や、繁茂した枝葉の切除等の手入れなどができる。したがって、本発明の建物緑化構造体を通常のビルや集合住宅等のベランダに設置して建物緑化が実現でき、そのベランダの内側に向けて緑化パネル体１を回動することにより、容易に緑化植物９に対する管理や、手入れなどができる。
【００３６】
図４は、上記のように取り付けられる緑化パネル体１を通常のビルや集合住宅（マンション）等の各階の張出床部（ベランダ）３に多数個設置した状態を示す説明図である。このようにすると、建物全体を緑化して建築物の修景を図ると共に、熱負荷の低減を図ることができる。また、建物の各階の横方向及び縦方向に、種類の異なる緑化植物９や、葉の色又は花の色が異なる緑化植物９が植えられた緑化パネル体１を適宜に配置して、建物の壁面２を利用して文字や絵の作成をする等のディスプレー機能を発揮することもできる。
【００３７】
図５は第１の実施形態による建物緑化構造体の第２の実施例を示す正面図であり、図６はその右側断面図である。この実施形態は、図１に示す緑化パネル体１において、メッシュ状支持部材６と植栽容器７とから成る植物支持パネルを、枠体５に対して着脱可能としたものである。すなわち、図５において、メッシュ状支持部材６の四隅部が位置する枠体５の内周縁部に、例えば上向きフック状の係止具２０を取り付け、この係止具２０を利用して上記メッシュ状支持部材６の四隅部を引っ掛けるようにしたものである。これにより、メッシュ状支持部材６と植栽容器７とから成る植物支持パネルを、建物の壁面２に略平行にセットされた状態で枠体５に対して着脱可能としている。なお、上記枠体５に取り付ける前のメッシュ状支持部材６と植栽容器７とは、別個の補強部材などにより連結しておけばよい。その他の構造は、図１〜図３に示す実施形態と同様である。
【００３８】
このような実施形態によれば、緑化植物９が生長できる状態で支持されたメッシュ状支持部材６と植栽容器７とから成る植物支持パネルを枠体５から取り外して生育環境の良い生産農場に搬入し、或いは最初から生産農場で育成して、事前に緑化させた状態で上記枠体５に取り付けることにより、短時間に建物の壁面２の全面緑化が実現できる。また、植物支持パネルの緑化植物を種類の異なるものに交換することもできる。
【００３９】
図７は第１の実施形態による建物緑化構造体の第３の実施例を示す正面図であり、図８はその平面図であり、図９はその右側断面図である。この実施形態は、図１に示す緑化パネル体１において、緑化植物９が生長できる状態で支持された植物支持パネルを、緑化植物９を支持するための多孔質構造を有する植栽基盤２１としたものである。すなわち、図８及び図９に示すように、枠体５の内側空間に、多孔質構造を有する基盤として、例えばポーラスコンクリート、三次元織物、三次元構造不織布等を所定の厚さで矩形状に形成したものを取り付け、この基盤に緑化植物９を植え付けて、上部に取り付けられた給水管１６で水を供給すると共に肥料供給管１７で液体肥料を供給するようにして植栽基盤２１を構成している。
【００４０】
上記植栽基盤２１を枠体５に取り付けるには、図８において枠体５を矢印Ｂ方向に回動して開いた状態で枠体５の内側空間に植栽基盤２１を嵌め込み、図７に示すように該植栽基盤２１の四隅部に埋設された取付ボルト２２を上記枠体５にあけられた孔に挿入し、図９に示すように上記枠体５の裏面側から取付ナット２３を締め付けて取り付けている。この場合は、植栽基盤２１に緑化植物９を植え付けるので、図１に示す植栽容器７は不要となる。また、図９に示すように、給水管１６及び肥料供給管１７は、上階張出床部３ｂの下面側の外側辺に設けられている。その他の構造は、図１〜図３に示す実施形態と同様である。
【００４１】
この場合も、図８に示すように、緑化パネル体１を張出床部３上において蝶番１０を中心にして矢印Ｂ方向に回動して開くことができる。そして、上記取付ボルト２２に締め付けた取付ナット２３を緩めて外すことにより、緑化パネル体１を矢印Ｂ方向に回動して開いた状態で枠体５から植栽基盤２１を取り外すことができる。
【００４２】
このような実施形態によれば、土壌や培養土を用いずに、緑化植物９を育成することができる。また、つる性植物以外の植物でも植栽基盤２１で支持して、建物緑化が実現できる。
【００４３】
図１０は第２の実施形態による建物緑化構造体を示す正面図であり、図１１はその平面図であり、図１２はその右側断面図である。この実施形態は、緑化パネル体１を、該緑化パネル体１の周囲を囲む外枠２４の内側に一側辺部の縦軸を中心にして回動可能に取り付け、上記外枠２４を、建物の壁面２に沿って外側に張り出した張出床部３の外側辺近傍にて上部及び下部に設置されたレール部材に係合させて該壁面２に略平行にスライド可能に組み合わせたものである。すなわち、図１に示す緑化パネル体１を外枠２４の内側に回動可能に取り付け、この外枠２４を張出床部３の外側辺近傍にて上下のレール部材に係合させて壁面２に略平行にスライド可能に組み合わせている。
【００４４】
まず、緑化パネル体１は、図１に示す緑化パネル体１と全く同様に構成されている。そして、この緑化パネル体１は、該緑化パネル体１の四周を取り囲むように矩形状に形成された外枠２４の内側に、図１と同様に、一側辺の少なくとも上部及び下部に蝶番１０が取り付けられ、他側辺の上部及び下部にストッパ片１１が取り付けられて、上記蝶番１０を中心にして回動可能に取り付けられている。そして、上記緑化パネル体１の枠体５の他側辺部の少なくとも１箇所には、その左側に位置する外枠２４との間で開閉をロックするロック装置１２が設けられている。
【００４５】
一方、図１２に示すように、下階張出床部３ａの外側辺近傍の上面には凹溝状のガイドレール２６が敷設され、上階張出床部３ｂの外側辺近傍の下面にはスペーサ部材２７を介してＣ形チャンネル状のハンガーレール２８が取り付けられている。そして、図１０に示すように、上記外枠２４の上辺の両端部には上記ハンガーレール２８のＣ形溝に嵌る吊車２９が取り付けられ、該外枠２４の下辺の両端部には上記ガイドレール２６の凹溝に嵌るガイドローラ３０が取り付けられている。この状態で、図１２に示すように、上記外枠２４の上辺の吊車２９を上記ハンガーレール２８のＣ形溝に嵌めて係合し、該外枠２４の下辺のガイドローラ３０を上記ガイドレール２６の凹溝に嵌める。これにより、上記外枠２４及び緑化パネル体１が、上記ハンガーレール２８及びガイドレール２６に係合して壁面２に略平行にスライド可能に組み合わされる。
【００４６】
なお、図１２に示すように、外枠２４の下辺部には例えばピン状の外枠固定部材３１が設けられ、下階張出床部３ａの対応箇所には上記外枠固定部材３１が嵌り得る固定用受穴３２が形成されている。そして、上記外枠固定部材３１を押し下げて固定用受穴３２に嵌合することにより、外枠２４及び緑化パネル体１がスライドしないように固定し、外枠固定部材３１を引き上げて固定用受穴３２から抜き出すことにより、外枠２４及び緑化パネル体１をスライド可能とする。
【００４７】
さらに、この実施形態では、図１１に示すように、上記ハンガーレール２８及びガイドレール２６の端末部にてその延長線上には、収納用レール部材３３ａ，３３ｂ，３３ｃが設けられている。この収納用レール部材３３ａ，３３ｂ，３３ｃは、図１０及び図１２に示すハンガーレール２８及びガイドレール２６と同様に構成されている。そして、第１の収納用レール部材３３ａは、上記ハンガーレール２８及びガイドレール２６の延長線上に設置され、第２の収納用レール部材３３ｂは、建物の壁面２の近傍にて上記第１の収納用レール部材３３ａと平行に設置され、第３の収納用レール部材３３ｃは、上記第１の収納用レール部材３３ａに直交して配置され、第２の収納用レール部材３３ｂとの間を橋渡しするように設けられている。
【００４８】
このような構成により、図１１に示すように、図２に示すと同様にして緑化パネル体１を外枠２４に対して蝶番１０を中心にして矢印Ｂ方向に回動することができる。また、上記緑化パネル体１を矢印Ｂ方向と反対方向に回動して閉じた状態にて、上記ハンガーレール２８及びガイドレール２６を利用して、緑化パネル体１（１ａ）を図１１において左側に矢印Ｃ方向にスライドさせ、符号１ｂの位置までスライドしたらその緑化パネル体１の先頭側の吊車２９とガイドローラ３０とを第３の収納用レール部材３３ｃに係合させて矢印Ｄ方向に略９０度向きを変え、その後は第１の収納用レール部材３３ａ及び第２の収納用レール部材３３ｂの案内で建物の壁面２に略直交する向き（符号１ｄ）で矢印Ｅ方向にスライドして張出床部３の一端部側に収納することができる。
【００４９】
図１３は、建物の張出床部３の外側辺近傍に設置された複数個の緑化パネル体１を建物の壁面２に平行に順次スライドさせて、張出床部３の一端部側に設けられた収納場所３４に順次収納する状態を示す説明図である。
【００５０】
このような実施形態によれば、緑化植物９が生長できる状態で支持された緑化パネル体１を建物の張出床部３にて建物の壁面２側に向けて回動して緑化植物９に対して水やり等の管理や、枝葉の切除等の手入れなどができる。この場合も、通常のビルや集合住宅等のベランダに設置して建物緑化が実現でき、そのベランダの内側に向けて緑化パネル体１を回動することにより、容易に緑化植物９に対する管理や、手入れなどができる。また、上記緑化パネル体１を収納用レール部材３３ａ〜３３ｃを利用して収納場所３４に収納することにより、台風や大雨等の自然災害から緑化植物９を保護することができる。
【００５１】
図１４は、上述の第２の実施形態による建物緑化構造体の他の実施例を示す平面図である。この実施形態は、建物の壁面２の外側に張り出した張出床部３の幅が狭くて壁面２からハンガーレール２８及びガイドレール２６までの寸法Ｄが十分に取れない場合の工夫を凝らしたものである。この場合は、上記張出床部３の一方の隅部に奥行きが大きい作業場所３７があることが前提となる。そして、図１１と同じように、張出床部３の外側辺近傍にハンガーレール２８及びガイドレール２６が設置されると共に、その後方において建物の壁面２との間に、上記ハンガーレール２８及びガイドレール２６と同様に構成された退避用レール部材２６′，２８′が平行に設けられ、さらに、上記作業場所３５の領域には、上記ハンガーレール２８及びガイドレール２６と退避用レール部材２６′，２８′とをＵターン状に結ぶ方向変換用レール部材３５ａ，３５ｂが設けられている。
【００５２】
図１５は、上記方向変換用レール部材３５ａ，３５ｂを示す拡大平面図である。上記平行に設けられたハンガーレール２８及びガイドレール２６と退避用レール部材２６′，２８′の先頭側に第１の方向変換用レール部材３５ａが曲率半径Ｒで設けられ、それより緑化パネル体１の１枚分だけ手前側に第２の方向変換用レール部材３５ｂが同じく曲率半径Ｒで設けられている。この第２の方向変換用レール部材３５ｂが、上記ハンガーレール２８及びガイドレール２６と退避用レール部材２６′，２８′の組み合わせに結合する部位には、レールが分岐する分岐部３６ａ，３６ｂが形成されている。そして、この分岐部３６ａ，３６ｂを利用して、１枚の緑化パネル体１の前後の吊車２９，２９及びガイドローラ３０，３０がＵターンし、上記緑化パネル体１が符号１ｐ，１ｑ，１ｒで示すように方向変換して、後方の退避用レール部材２６′，２８′に移行してゆく。このとき、図１４に示すように、上記方向変換用レール部材３５ａ，３５ｂの位置で緑化パネル体１が方向変換したところで、前述のように上記緑化パネル体１を矢印Ｂ方向に回動して緑化植物９に対する管理や、手入れなどを行うことができる。
【００５３】
図１６は第３の実施形態による建物緑化構造体を示す正面図であり、図１７はその平面図である。この実施形態は、緑化パネル体１を、建物の壁面２に沿って外側に張り出した張出床部３の外側辺近傍にて上部及び下部に設置されたレール部材に係合させて該壁面２に略平行にスライド可能に組み合わせたものである。すなわち、図１に示す緑化パネル体１を、図１０に示す下部のガイドレール２６と上部のハンガーレール２８との間に係合させて壁面２に略平行にスライド可能に組み合わせている。
【００５４】
さらに、この実施形態では、図１７に示すように、図１１と同様にして上記ハンガーレール２８及びガイドレール２６の端末部にてその延長線上には、収納用レール部材３３ａ，３３ｂ，３３ｃが設けられている。この収納用レール部材３３ａ，３３ｂ，３３ｃは、図１６に示すハンガーレール２８及びガイドレール２６と同様に構成されている。そして、第１の収納用レール部材３３ａは、上記ハンガーレール２８及びガイドレール２６の延長線上に設置され、第２の収納用レール部材３３ｂは、建物の壁面２の近傍にて上記第１の収納用レール部材３３ａと平行に設置され、第３の収納用レール部材３３ｃは、上記第１の収納用レール部材３３ａに直交して配置され、第２の収納用レール部材３３ｂとの間を橋渡しするように設けられている。
【００５５】
このような構成により、上記ハンガーレール２８及びガイドレール２６を利用して、緑化パネル体１（１ａ）を図１７において左側に矢印Ｃ方向にスライドさせ、符号１ｂの位置までスライドしたらその緑化パネル体１の先頭側の吊車２９とガイドローラ３０とを第３の収納用レール部材３３ｃに係合させて矢印Ｄ方向に略９０度向きを変える。この状態で、緑化パネル体１の緑化植物９に対して水やり等の管理や、枝葉の切除等の手入れなどができる。その後は第１の収納用レール部材３３ａ及び第２の収納用レール部材３３ｂの案内で建物の壁面２に略直交する向き（符号１ｄ）で矢印Ｅ方向にスライドして張出床部３の一端部側に収納することができる。
【００５６】
このような実施形態によれば、緑化植物９が生長できる状態で支持された緑化パネル体１を建物の張出床部３にて建物の壁面２側に向けて位置変更して緑化植物９に対して水やり等の管理や、枝葉の切除等の手入れなどができる。この場合も、通常のビルや集合住宅等のベランダに設置して建物緑化が実現でき、そのベランダの内側に向けて緑化パネル体１を位置変更することにより、容易に緑化植物９に対する管理や、手入れなどができる。また、上記緑化パネル体１を収納場所に収納することにより、台風や大雨等の自然災害から緑化植物を保護することができる。
【００５７】
なお、以上の説明では、緑化パネル体１の一側辺部を中心にして該緑化パネル体１を建物の壁面２側に向けて所定角度まで位置変更可能又は回動可能としたが、本発明はこれに限られず、緑化パネル体１の横幅方向の中央部の縦軸を中心にして例えば１８０度回動可能に取り付けてもよい。
【図面の簡単な説明】
【００５８】
【図１】第１の実施形態による建物緑化構造体を示す正面図である。
【図２】図１の平面図である。
【図３】図１の右側断面図である。
【図４】緑化パネル体を通常のビルや集合住宅等の各階の張出床部に多数個設置した状態を示す説明図である。
【図５】第１の実施形態による建物緑化構造体の第２の実施例を示す正面図である。
【図６】図５の右側断面図である。
【図７】第１の実施形態による建物緑化構造体の第３の実施例を示す正面図である。
【図８】図７の平面図である。
【図９】図７の右側断面図である。
【図１０】第２の実施形態による建物緑化構造体を示す正面図である。
【図１１】図１０の平面図である。
【図１２】図１０の右側断面図である。
【図１３】複数個の緑化パネル体を建物の壁面に平行にスライドさせて、張出床部の一端部側に設けられた収納場所に順次収納する状態を示す説明図である。
【図１４】第２の実施形態による建物緑化構造体の他の実施例を示す平面図である。
【図１５】上記他の実施例における方向変換用レール部材を示す拡大平面図である。
【図１６】第３の実施形態による建物緑化構造体を示す正面図である。
【図１７】図１６の平面図である。
【符号の説明】
【００５９】
１…緑化パネル体
２…建物の壁面
３…張出床部
４…支柱
５…枠体
６…メッシュ状支持部材
７…植栽容器
９…緑化植物
１０…蝶番
１１…ストッパ片
１２…ロック装置
１６…給水管
１７…肥料供給管
２０…係止具
２１…植栽基盤
２４…外枠
２６…ガイドレール
２８…ハンガーレール
２９…吊車
３０…ガイドローラ
３１…外枠固定部材
３３ａ〜３３ｃ…収納用レール部材
３４…収納場所
３５ａ，３５ｂ…方向変換用レール部材
【図１】
0004456549.tif 000002
【図２】
0004456549.tif 000003
【図３】
0004456549.tif 000004
【図４】
0004456549.tif 000005
【図５】
0004456549.tif 000006
【図６】
0004456549.tif 000007
【図７】
0004456549.tif 000008
【図８】
0004456549.tif 000009
【図９】
0004456549.tif 000010
【図１０】
0004456549.tif 000011
【図１１】
0004456549.tif 000012
【図１２】
0004456549.tif 000013
【図１３】
0004456549.tif 000014
【図１４】
0004456549.tif 000015
【図１５】
0004456549.tif 000016
【図１６】
0004456549.tif 000017
【図１７】
0004456549.tif 000018